(57)【特許請求の範囲】
【請求項１】
機台の前部に配設された演出ボタンが遊技者により押圧操作されることによって所定の操作信号を発生し、該操作信号に従って所定の操作演出態様を実行するボタン遊技制御手段を備えたパチンコ遊技機において、
前記ボタン遊技制御手段は、
機台の前部に配設された、遊技者により増減操作される増減操作手段と、増減操作手段の増減操作に従って、演出ボタンの押圧操作により発生した操作信号の信号量を増減する信号量増幅手段とを備え、
該信号量増幅手段により増減した操作信号の信号量に基づいて操作演出態様を実行するようにしているものであり、
ボタン遊技制御手段の信号量増幅手段が、予め設定した信号量増幅条件が成立した場合に、増減操作手段の増減操作に従って操作信号の信号量を増減する処理を有効として実行するようにしているものであって、信号量増幅条件は、演出参加遊技で発生した操作信号の累積信号量が所定量以下である場合により成立するものである
ことを特徴とするパチンコ遊技機。
【請求項２】
ボタン遊技制御手段は、
演出ボタンと、該演出ボタンの押圧操作に従って操作信号を発生する操作信号発生手段とを具備する演出ボタン装置と、
前記操作信号を入力し、該操作信号に従って操作演出態様を実行する操作演出制御手段と
を備えたものであって、
演出ボタン装置の操作信号発生手段から操作信号を入力すると、増減操作手段の増減操作に従って操作信号の信号量を増減処理して、該増減処理した信号量に従って操作信号を発生して操作演出制御手段へ出力する、前記操作信号発生手段と操作演出制御手段との間に介装された信号量増幅装置を備え、
当該信号量増幅装置によって信号量増幅手段が構成されているものであることを特徴とする請求項１に記載のパチンコ遊技機。
【請求項３】
ボタン遊技制御手段は、
演出ボタンを備え、該演出ボタンの押圧操作に従って操作信号を発生する演出ボタン装置と、
該演出ボタン装置により発生した操作信号を入力し、該操作信号の信号量に従って操作演出態様を実行する操作演出制御手段と
を備えたものであって、
前記操作演出制御手段が、演出ボタン装置から入力した操作信号の信号量を増減操作手段の増減操作に従って増減する演算処理と、該演算処理した操作信号の信号量に従って操作演出態様を実行する処理とを備え、
当該操作演出制御手段により信号量増幅手段が構成されているものであることを特徴とする請求項１に記載のパチンコ遊技機。
【発明の詳細な説明】
【技術分野】
【０００１】
本発明は、遊技者によって操作される演出ボタンを機台の前部に備えたパチンコ遊技機に関する。
【背景技術】
【０００２】
パチンコ遊技機には、その遊技盤に、所謂特別図柄を変動表示する図柄表示装置が配設されている。この図柄表示装置は、液晶表示器からなるものが一般的であり、前記特別図柄の変動表示の他にも、興趣性を向上するために様々な演出画像が表示される。近年、この演出画像による演出に遊技者を参加させるように構成したパチンコ遊技機が提案されている（例えば、特許文献１）。これは、遊技者により押圧操作可能な演出ボタンが機台の前部に配設され、この演出ボタンが遊技者により押圧操作されることによって、演出画像を変化させるようにしたものである。このようなパチンコ遊技機では、遊技者が演出ボタンを押圧操作することによって演出に参加できるため、遊技者の興趣感を高めることができる。
【先行技術文献】
【特許文献】
【０００３】
【特許文献１】特開２００７−３０７１６３号公報
【発明の概要】
【発明が解決しようとする課題】
【０００４】
ところで、上記の演出ボタンを備えたパチンコ遊技機では、通常、演出ボタンの押圧操作を有効とする期間が設定されており、当該期間中に、演出ボタンの押圧操作を遊技者に促すようにしている。そして、前記期間中での演出ボタンの操作回数が所定回数に達すると、希少画像の表示等の特典を供与するようになっている。そのため、前記特典を得るためには、予め設定された制限期間で演出ボタンを所定回数操作しなければならないことから、遊技者には演出ボタンを連打することが求められる。
【０００５】
ここで、特典を供与する前記所定回数（特典供与回数）が、比較的大きな回数に設定されていると、演出ボタンを比較的高速で連打しなければならない。また、複数の特典が設定され且つ各特典毎に特典供与回数が割り当てられて設定されている場合にあっては、一般的に、付加価値の高い特典に大きな特典供与回数が設定される。そのため、付加価値の高い特典を獲得するためには、演出ボタンを比較的高速で連打することが必要となる。
【０００６】
しかし、演出ボタンを連打する速さは、遊技者の個人的な能力に強く依存するため、連打が不得意な遊技者は、上記した付加価値の高い特典を得ることが極めて難しい。また、高齢者や女性にあっても、連打の速さが遅い傾向にあり、同様に付加価値の高い特典を獲得し難い。そのため、高速で連打することができない遊技者は、付加価値の高い特典を獲得するチャンスがほとんどなく、演出ボタンの押圧操作により演出参加するという遊技（以下、演出参加遊技という）の遊技性を充分に享受できない。さらには、このようなパチンコ遊技への興味が薄れてしまうという問題も生じる。
【０００７】
本発明は、演出ボタンを連打する速さという個人的な能力差への依存性を低減し、演出参加遊技の遊技性を適正に供与し得るパチンコ遊技機を提案するものである。
【課題を解決するための手段】
【０００８】
本発明は、機台の前部に配設された演出ボタンが遊技者により押圧操作されることによって所定の操作信号を発生し、該操作信号に従って所定の操作演出態様を実行するボタン遊技制御手段を備えたパチンコ遊技機において、前記ボタン遊技制御手段は、機台の前部に配設された、遊技者により増減操作される増減操作手段と、増減操作手段の増減操作に従って、演出ボタンの押圧操作により発生した操作信号の信号量を増減する信号量増幅手段とを備え、該信号量増幅手段により増減した操作信号の信号量に基づいて操作演出態様を実行するようにしているものであることを特徴とするパチンコ遊技機である。
【０００９】
かかる本発明の構成にあっては、前記演出ボタンの押圧操作により発生した操作信号の信号量を増減し、該増減した操作信号の信号量に従って操作演出態様を実行する。そのため、増減操作手段を増加方向へ操作すれば、演出ボタンの押圧操作に伴って発生する操作信号の信号量よりも多い信号量に従って操作演出態様が実行される。ここで、通常、演出ボタンの押圧操作一回により一つの操作信号を発生することから、一回の押圧操作による操作信号の信号量は「１」である。例えば、増減操作手段の操作により信号量を２倍増加とすれば、演出ボタンの押圧操作一回で、二回の押圧操作に相当する操作信号の信号量「２」となる。同様に、３倍増加とすれば、三回の押圧操作に相当する操作信号の信号量となり、４倍増加とすれば、四回の押圧操作に相当する操作信号の信号量となる。さらに、１．５倍増加とすれば、二回の押圧操作で三回の押圧操作に相当する操作信号の信号量とすることも可能である。
【００１０】
このように、増減操作手段の操作により操作信号の信号量を増加すれば、演出ボタンを連打する速さが増加することと同じとなるため、連打の速さという個人的な能力を補うことができる。本発明の構成によれば、連打の不得意な者、高齢者、女性等の遊技者にあっても、増減操作手段を増加操作することにより、演出ボタンを高速で連打することと同等の遊技を行うことができ得る。したがって、演出ボタンの連打速さが遅い者であっても、演出ボタンの高速連打により供与される付加価値の高い特典を獲得可能となるため、演出参加遊技の遊技性を向上することができる。
【００１１】
尚、増減操作手段の増加操作により操作信号の信号量を増加している状態で、該信号量を減少するように減少操作することもできる。例えば、２倍増加から、増加しない信号量へ減少操作したり、同様に、３倍増加から２倍増加へ減少操作したり、３倍増加から１．５倍増加へ減少操作する等を行うことができる。
【００１２】
ここで、信号量増幅手段としては、操作信号の信号量を所定範囲内で任意に変えることができるもの、又は予め複数の信号量が設定されており、いずれかの信号量に選択的に変えることができるもの等が好適に用いられ得る。また、増減操作手段としては、ボリューム形式のもの、スイッチ形式のもの、ボタン形式のもの等を適用可能である。尚、ボリューム形成のものとしては、遊技者により操作される抓みを直線状にスライド可能としたものや、該抓みを回転可能としたもの等が好適に用いられる。また、操作演出態様としては、パチンコ遊技機の遊技盤に配設された図柄表示装置で、遊技者による演出ボタンの押圧操作に従って所定の変化を生じるように表示する演出画像により構成されるものが、好ましく適用できる。
【００１３】
上述した本発明のパチンコ遊技機にあって、ボタン遊技制御手段は、演出ボタンと、該演出ボタンの押圧操作に従って操作信号を発生する操作信号発生手段とを具備する演出ボタン装置と、前記操作信号を入力し、該操作信号に従って操作演出態様を実行する操作演出制御手段とを備えたものであって、演出ボタン装置の操作信号発生手段から操作信号を入力すると、増減操作手段の増減操作に従って操作信号の信号量を増減処理して、該増減処理した信号量に従って操作信号を発生して操作演出制御手段へ出力する、前記操作信号発生手段と操作演出制御手段との間に介装された信号量増幅装置を備え、当該信号量増幅装置によって信号量増幅手段が構成されているものであるとした構成が提案される。
【００１４】
ここで、信号量増幅装置が、演出ボタンの押圧操作により発生した操作信号を入力すると、その操作信号の信号量を増減して、当該信号量に基づく新たな操作信号を生成して出力する。例えば、増減操作手段により２倍増加としている場合には、信号量増幅装置が、一つの操作信号を入力する毎に二つの操作信号を生成して出力する。すなわち、信号量増幅装置は、演出ボタンの押圧操作により発生した操作信号を増加（又は減少）して出力するものである。このように本構成は、増減操作手段の操作に従って、操作信号の信号量を直接的に増加（又は減少）し、当該増減処理後の操作信号により操作演出態様を実行する。ここで、操作演出態様を実行する操作演出制御手段は、信号量増幅装置による増減処理に関わらず同じ処理を実行するものであるから、操作演出態様の実行処理の負担増を生じない。
【００１５】
尚、信号量増幅装置は、演出ボタン装置に配設されている構成であっても良いし、操作演出手段の直前に配設されている構成であっても良い。
【００１６】
上述した本発明のパチンコ遊技機にあって、ボタン遊技制御手段は、演出ボタンを備え、該演出ボタンの押圧操作に従って操作信号を発生する演出ボタン装置と、該演出ボタン装置により発生した操作信号を入力し、該操作信号の信号量に従って操作演出態様を実行する操作演出制御手段とを備えたものであって、前記操作演出制御手段が、演出ボタン装置から入力した操作信号の信号量を増減操作手段の増減操作に従って増減する演算処理と、該演算処理した操作信号の信号量に従って操作演出態様を実行する処理とを備え、当該操作演出制御手段により信号量増幅手段が構成されているものであるとした構成が提案される。
【００１７】
かかる構成にあっては、操作演出制御手段が操作信号の信号量をデータ値として演算処理し、該データ値に従って操作演出態様を実行処理するようにしたものであり、実質的に操作信号を増減した場合と同様に操作演出態様を実行する。そして、操作信号を実際に増加または減少するものでないから、操作信号を増加生成する装置を要しない。さらに、演算処理により操作信号の信号量をデータ値として算出するため、小数や分数などの様々な数値を設定でき、遊技者の好みや連打能力に応じて柔軟に対応できる。
【００１８】
上述した本発明のパチンコ遊技機にあって、ボタン遊技制御手段の信号量増幅手段が、予め設定した信号量増幅条件が成立した場合に、増減操作手段の増減操作に従って操作信号の信号量を増減する処理を有効として実行するようにしたものである構成が提案される。
【００１９】
増減操作手段を増減操作することにより、操作信号の信号量を増減するようにした本構成では、高速で連打する能力を有する遊技者が使用することも可能である。そのため、高速連打できる遊技者は比較的容易に付加価値の高い特典を得ることができ、特典の付加価値が失墜してしまうことが懸念される。これに対して、本構成は、信号量増幅条件の成立によって操作信号の信号量を増減する処理を有効とし、該信号量増幅条件の設定如何によって、特典の付加価値の失墜を抑制することが可能である。したがって、特典の付加価値を適正に維持しつつ、上述した本発明の作用効果を発揮できる。
【００２０】
ここで、信号量増幅条件としては、例えば、一回の演出参加遊技で発生した操作信号の累積信号量が所定量以下である場合や、さらに、前記所定量以下である演出参加遊技が連続して所定回数実行された場合等により成立するものとして設定できる。又は、操作信号の発生パターンに基づいて信号量増幅条件を設定することも可能である。また、複数の信号量増幅条件を設定し、各条件毎に信号量の増減範囲を制限するようにした構成としても良い。ここで、複数の信号量増幅条件としては、前記した操作信号の累積信号量が所定量以下である場合とする条件であって、該所定量を段階的に設定したものとすることができる。この場合には、段階的に信号量増幅条件が成立するようにしても良い。
【発明の効果】
【００２１】
本発明のパチンコ遊技機は、機台の前部に配設された増減操作手段の増減操作に従って、演出ボタンの押圧操作により発生した操作信号の信号量を増減し、この増減した信号量に基づいて操作演出態様を実行するようにしたものであるから、増減操作手段を操作して操作信号の信号量を増加すれば、演出ボタンを連打する速さが増加することと同じとなり、連打の速さ不足を補うことができる。そのため、比較的高速で演出ボタンを連打することによって得られる特典を、連打速さが遅い遊技者にあっても獲得する可能性が生じるため、該遊技者も演出参加遊技を満喫することができる。したがって、本発明の構成によれば、演出参加遊技の遊技性を広く発揮でき、総じて遊技者の興味を強く惹き付けることが可能である。
【００２２】
上述した本発明のパチンコ遊技機にあって、予め設定した信号量増幅条件が成立した場合に、増減操作手段の増減操作に従って操作信号の信号量を増減する処理を有効として実行するようにした構成の場合には、高速で連打できる遊技者が比較的容易に特典を獲得してしまうことを抑制できるため、該特典の付加価値を適正に維持可能である。
【図面の簡単な説明】
【００２３】
【図１】本実施例のパチンコ遊技機１の斜視図である。
【図２】パチンコ遊技機１の遊技盤８の正面図である。
【図３】パチンコ遊技機１の制御回路のブロック回路図である。
【図４】特別図柄処理を示すフロー図である。
【図５】信号量増減処理を示すフロー図である。
【図６】図柄表示装置４２の表示画面４３で表示される、遊技者による演出ボタン７２の押圧操作によって変化する参加演出画像Ｔの変動態様を例示した説明図である。
【図７】上記の参加演出画像Ｔの、別例の変動態様を示す説明図である。
【図８】上記の参加演出画像Ｔの、さらに別例の変動態様を示す説明図である。
【発明を実施するための形態】
【００２４】
本発明の実施例を、添付図面を用いて詳述する。
本実施例のパチンコ遊技機１は、図１に示すように、遊技島設備に固定される木製の外枠２と、該外枠２の前面開口部分を覆うように取り付けられた遊技機本体３とから構成されている。遊技機本体３は、中央上部の略円形の開口部に遊技盤８（図２参照）が取り付けられた本体枠（図示省略）と、該本体枠の前面側に開閉可能に配設された前枠扉６とを備え、本体枠と前枠扉６とが、外枠２にヒンジ部材４を介して枢着されている。前枠扉６には、遊技盤８の遊技領域１２（図２参照）を臨む前面ガラス１４が配設されている。
【００２５】
前枠扉６の前面下部には、図示しない発射装置に供給する遊技球を貯留する発射球貯留皿１０が設けられている。発射球貯留皿１０は、その左側内部に、賞球や貸球が流出する球払出口１５が開口し、右側内部に、遊技球を整列する整列部（図示省略）が形成され、該整列部の右端に遊技球を発射装置へ供給するための球流入口（図示省略）が開口している。
【００２６】
上記した遊技機本体３（本体枠）の前面下部には、樹脂材からなる下部パネル１８が設けられており、この下部パネル１８の前面下部中央に余剰の遊技球を貯留する余剰球貯留皿１１が配設されている。余剰球貯留皿１１の内部には、球放出口１９が開口しており、該球放出口１９から余剰球貯留皿１１内に遊技球が放出される。さらに、余剰球貯留皿１１の右方には発射ハンドル２６が突設されている。
【００２７】
また、上記した遊技盤８の前面には、図２のように、ガイドレール１３が取り付けられており、該ガイドレール１３によって略円形の遊技領域１２と、発射された遊技球を遊技領域１２に案内する案内通路２０が区画される。さらに、遊技盤８の遊技領域１２の中央には、各種の遊技部材が組み付けられたセンターケース４１が配設されている。このセンターケース４１には、液晶表示器からなる図柄表示装置４２が組み付けられており、該図柄表示装置４２の表示画面４３では、三つの特別図柄Ａ，Ｂ，Ｃと二つの普通図柄Ｅ1 ，Ｅ2とが変動表示されると共に、様々な演出画像が表示される（図６〜８参照）。
【００２８】
ここで、特別図柄Ａ，Ｂ，Ｃは、後述する可変入賞装置５１の始動口５４に遊技球が流入することにより変動開始し、その後停止した各特別図柄の組合せにより当り又はハズレを確定する。また、普通図柄Ｅ1 ，Ｅ2 は、後述する普通図柄始動ゲート（普通図柄始動領域）４９を遊技球が通過することにより変動開始し、その後停止した普通図柄Ｅ1 ，Ｅ2 の組合せにより当り又はハズレを確定する。そして、普通図柄Ｅ1 ，Ｅ2 が当りの場合には、後述する可変入賞装置５１の可動翼片（図示せず）を開閉駆動する。
【００２９】
センターケース４１の下部には、４個の発光ダイオードからなる特別図柄始動記憶数表示装置４６が配設されている。この特別図柄始動記憶数表示装置４６は、上記した可変入賞装置５１の始動口５４に遊技球が連続して流入した場合に、特別図柄Ａ，Ｂ，Ｃの変動を保留する特別図柄始動記憶数を、発光ダイオードの点灯数によって表示する。また、センターケース４１の左下部には、４個の発光ダイオードからなる普通図柄始動記憶数表示装置４７が配設されており、同様に、普通図柄Ｅ1 ，Ｅ2の変動を保留する普通図柄始動記憶数を、発光ダイオードの点灯数によって表示する。尚、特別図柄始動記憶数と普通図柄始動記憶数は、それぞれ四個を上限数として設定している。
【００３０】
上記センターケース４１の左右側方には、普通図柄始動ゲート（普通図柄始動領域）４９，４９が配設されており、遊技球の通過により、各普通図柄始動ゲート４９に設けられた普通図柄始動スイッチＳ2 （図３参照）から遊技球検出信号が発生すると、前記表示画面４３で普通図柄Ｅ1 ，Ｅ2 が変動し、所定時間経過後に停止して種々の組み合わせの図柄態様が表示される。
【００３１】
また、センターケース４１の下方には、遊技球を流入可能とする始動口５４と、左右一対の開閉翼片（図示省略）とを備えた可変入賞装置５１が配設されている。この始動口５４の内部には、遊技球を検知する特別図柄始動スイッチＳ1（図３参照）が配設されており、該特別図柄始動スイッチＳ1による遊技球検知に従って、前記図柄表示装置４２の表示画面に特別図柄Ａ，Ｂ，Ｃを変動開始する。また、左右一対の開閉翼片は、上下方向に起立して一個の遊技球が上方から入賞可能な間隔となる起立位置と、該起立位置から左右両側に逆ハ字形に拡開して遊技球の入賞を容易とする傾動位置とに変換駆動されるようになっている。そして、前記普通図柄Ｅ1，Ｅ2の表示結果が所定の当り図柄態様の場合には、普通電動役物ソレノイド（図示せず）を駆動源として開閉翼片が所定時間（約 0.2秒間）傾動位置に拡開されて、始動口５４に遊技球が入り易い状態となる。
【００３２】
さらに、可変入賞装置５１の下方には、大入賞口６２を有する変動入賞装置６１が配設されている。この変動入賞装置６１は横長矩形状の開閉片６３を具備し、内蔵された大入賞口ソレノイド（図示せず）により開閉片２７を開閉駆動制御することによって大入賞口６２が開放状態又は閉鎖状態に変換される。この変動入賞装置６１は、上記した図柄表示装置４２の画面で変動表示した特別図柄Ａ，Ｂ，Ｃが所定の当り停止図柄態様で確定表示された場合（大当りの場合）に、大入賞口６２を開閉作動する。この大入賞口６２の開閉作動としては、開閉片６３が前方に傾倒して開き、その開放状態で開閉片６３の上面の案内作用を介して、大入賞口６２内へ遊技球を案内するとともに、所定開放時間（例えば30秒）の満了、またはその所定開放時間中における所定個数（例えば 9個）の遊技球の入賞により開閉片６３が起立して大入賞口６２が閉鎖される開閉ラウンドを、所定制限回数（本実施例にあっては１５回）行うことにより、大入賞口６２に多量の遊技球が入賞し、遊技者に所定の利益が供与される。この変動入賞装置６１の内部には入賞した遊技球を検知するカウントスイッチＳ3（図３参照）が設けられている。このように、特別図柄Ａ，Ｂ，Ｃが所定の当り停止図柄態様で確定表示されると、変動入賞装置６１を作動する特別遊技作動を実行する。そして、この特別遊技作動は、大入賞口６２を開閉する開閉ラウンドが所定制限回数（１５回）に達することにより満了する。
【００３３】
その他、遊技領域１２には、複数の一般入賞口５８が配設されており、その内部に設けられた一般入賞スイッチＳ4（図３参照）による遊技球の入賞検知に伴って所定数の賞球が払い出される。
【００３４】
次に、上述のパチンコ遊技機１の制御回路について、図３に示すブロック図に従って説明する。
制御回路には、主制御基板８０、払出制御基板８１、演出制御基板８２、電源基板８３、発射制御基板８４が配設されている。主制御基板８０は、マイクロコンピュータにより構成されており、パチンコ遊技機１の遊技を統括的に制御するものである。そして、この主制御基板８０には、上述した遊技盤８に配設された始動口５４、大入賞口６２、一般入賞口５８へ流入した遊技球を検知するための各スイッチやセンサ（図示省略）等が盤面中継端子板９０を介して接続されている。
【００３５】
主制御基板８０には、各種スイッチやセンサなどからの入力信号に従って演算処理を実行して所定の指令信号を出力する中央制御装置ＣＰＵ、演算処理に用いる制御プログラムを格納する記憶装置ＲＯＭ、必要なデータを随時読み書き可能な記憶装置ＲＡＭが、データを読み書きするアドレスを指定する情報を一方的に伝えるアドレスバス（図示省略）と、データのやり取りを行うデータバス（図示省略）とを介して接続され、主制御基板８０の基板回路を構成している。前記記憶装置ＲＯＭには、制御プログラムや、普通当り乱数テーブル、普通当り図柄乱数テーブル、大当り特別乱数テーブル、大当り図柄乱数テーブル、ハズレ図柄乱数テーブル、リーチ乱数テーブル、リーチ図柄乱数テーブル、変動態様乱数テーブル等の固定データが格納されている。そして、後述するように始動口５４に遊技球が流入して特別図柄始動スイッチＳ1がＯＮ作動すると、中央制御装置ＣＰＵによって各乱数テーブルの乱数値が抽選され、普通当り乱数値、普通当り図柄乱数値、大当り特別乱数値、大当り図柄乱数値、ハズレ図柄乱数値、リーチ乱数値、リーチ図柄乱数値、変動態様乱数値等が選出される。また、記憶装置ＲＡＭには、前記各乱数値等が一時的に記憶される記憶エリア、ソフトタイマを構成するレジスタ領域及びワークエリア等が設けられている。
【００３６】
さらに、主制御基板８０の基板回路には、所定のクロックパルスを出力するクロック装置（図示省略）が設けられ、中央制御装置ＣＰＵに接続されている。そして中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーＴＭも接続されている。
【００３７】
また、上記主制御基板８０の基板回路には、中央制御装置ＣＰＵが周辺機器とデータ通信を行う入力ポート（図示省略）及び出力ポート（図示省略）が設けられており、該出力ポートを介して主制御基板８０からの制御指令信号が、払出制御基板８１、演出制御基板８２、発射制御基板８４の各入力ポートに向けて発信されるようになっている。また、主制御基板８０の入力ポートには、盤面中継端子板９０を介して、特別図柄始動スイッチＳ1、普通図柄始動スイッチＳ2、カウントスイッチＳ3、一般入賞スイッチＳ4 が接続されている。そして、主制御基板８０は、所定時間毎（例えば２ｍｓ毎）に各スイッチＳ1 〜Ｓ4 の遊技球検出状態を調べ、信号入力があるとその信号が波形整形回路により波形整形されて中央制御装置ＣＰＵに入力され、その情報を記憶装置ＲＡＭに記憶する。また、主制御基板８０の出力ポートには、盤面中継端子板９０を介して大入賞口ソレノイド（図示せず），普通電動役物ソレノイド（図示せず）が接続されており、中央制御装置ＣＰＵが所定の条件を選出した場合に作動される。
【００３８】
また、主制御基板８０の中央制御装置ＣＰＵ及び上記した各制御基板８１〜８４に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。尚、前記演算ユニットの連成数によって、各中央制御装置ＣＰＵの演算処理能力が決まる。そして、主制御基板８０の中央制御装置ＣＰＵは、所定の形式で生成した制御指令信号を各制御基板８１〜８４に夫々送信し、各制御基板８１〜８４の中央制御装置ＣＰＵがこの制御指令信号に従って所定の制御を処理実行することとなる。
【００３９】
一方、上記した演出制御基板８２は、上述した図柄表示装置４２で演出する図柄制御や、各種スピーカから音響を発する制御や、各種ランプおよびＬＥＤを発光する制御などを行うものである。そして、この演出制御基板８２には、図柄表示装置４２を構成する液晶表示器（図示省略）と、各種ＬＥＤをＬＥＤ中継端子板を介して発光制御するランプ制御基板（図示省略）と、スピーカが接続された演出中継端子板（図示省略）とが夫々に接続されている。また、演出制御基板８２にも、上述した主制御基板８０と同様に、中央制御装置ＣＰＵ、記憶装置ＲＯＭ、記憶装置ＲＡＭを備えている。このような演出制御基板８２は、主制御基板８０から受信した演出制御指令信号に従って、図柄表示装置４２による演出画像の表示、各ＬＥＤの発光、スピーカの発音を制御実行する。
【００４０】
また、払出制御基板８１は、賞球や貸球を払い出す球払出装置（図示省略）を駆動制御するものである。この払出制御基板８１は、主制御基板８０から受信した払出制御指令信号に従って上記した球払出装置（図示省略）を駆動して、所定の賞球を払い出す制御を実行する。
【００４１】
また、発射制御基板８４は、上記した発射ハンドル２６の操作に従って、図示しない発射装置を駆動制御することにより、遊技球を発射制御するものである。尚、発射制御基板８４も、上記した主制御基板８０と接続されており、主制御基板８０から所定の制御指令信号を入力すると、それに従って駆動制御するようにもなっている。
【００４２】
また、上述した電源基板８３は、外部電源から供給された電力を、所定の電圧に変換して、上述した主制御基板８０、払出制御基板８１、演出制御基板８２、発射制御基板８４に送電するものである。電源基板８３には、外部電源からＡＣ２４Ｖの電流が送電される。そして、このＡＣ２４Ｖを、ＤＣ３２Ｖ、ＤＣ１２Ｖ、ＤＣ５Ｖに変換する回路が夫々配設されている。さらに、過剰の電流が流れないようにする過負荷保護回路、リセット回路、バックアップ用コンデンサ（バックアップ電源）などが配設されている。
【００４３】
この電源基板８３からＤＣ３２Ｖ、ＤＣ１２Ｖ、ＤＣ６Ｖの各電力を夫々供給された主制御基板８０、払出制御基板８１、演出制御基板８２、発射制御基板８４は、夫々が駆動制御するモータ、ソレノイド、スイッチ、センサ、ＬＥＤ、スピーカ、表示装置などに所定の電力を分配する。
【００４４】
次に、図３に示した制御回路による制御態様をパチンコ遊技機の作動に従って説明する。
上記した発射ハンドル２６の操作に従って、遊技球が遊技領域１２に発射される。この遊技球が普通図柄始動ゲート４９を通過し、普通図柄始動スイッチＳ2 がＯＮ作動すると、主制御基板８０は普通図柄の始動処理を行う。これにより、主制御基板８０は、普通当り乱数値と普通当り図柄乱数値を夫々選出し、図柄表示装置４２により普通図柄Ｅ1 ，Ｅ2 の図柄変動を開始して、前記各乱数値に従って停止する。そして、普通図柄Ｅ1 ，Ｅ2が当りであった場合には、上述したように、可変入賞装置５１の開閉翼片を傾動位置に拡開する制御を行う。尚、遊技球が普通図柄始動ゲート４９を連続して通過した場合には、それぞれについて各乱数値を選出して記憶装置ＲＡＭに普通図柄始動記憶として一旦格納し、該始動記憶数に従って普通図柄始動記憶数表示装置４７の発光ダイオードを点灯する。
【００４５】
遊技領域１２を転動流下した遊技球が可変入賞装置５１の始動口５４に流入すると、特別図柄始動スイッチＳ1がＯＮ作動し、主制御基板８０は、上記した各乱数値を抽出して特別図柄始動記憶を記憶する処理を行う。すなわち、主制御基板８０の中央制御装置ＣＰＵは、記憶装置ＲＯＭに記憶されている大当り特別乱数テーブル、大当り図柄乱数テーブル、ハズレ図柄乱数テーブル等から抽選によって、大当り乱数値や大当り図柄乱数値やハズレ図柄乱数値などを夫々に抽出し、これら各乱数値を一セットの特別図柄始動記憶として、記憶装置ＲＡＭに一旦格納する。尚、遊技球が連続して始動口５４に流入した場合には、夫々に各乱数値を選出して特別図柄始動記憶として、その発生順に記憶装置ＲＡＭに記憶されると共に、特別図柄始動記憶数表示装置４６の発光ダイオードがその始動記憶数に応じて順次点灯される。
【００４６】
そして、主制御基板８０は、記憶装置ＲＡＭに特別図柄始動記憶を記憶している場合に、最先の特別図柄始動記憶を消化して特別図柄を変動制御する特別図柄処理（図４参照）を行う。すなわち、特別図柄始動記憶を読み込み、特別図柄始動記憶数表示装置４６の発光ダイオードを１個消灯し、特別図柄Ａ，Ｂ，Ｃの図柄変動を開始し、該特別図柄始動記憶の各乱数値に従って図柄変動パターンや演出画像パターン等を決定する特別図柄生成行程態様処理を行う。この特別図柄生成行程態様処理では、当該特別図柄始動記憶の大当り乱数値を判定し、大当りであると、大当り図柄乱数値を有効として当り停止図柄態様（当り図柄の組合せ）を選択すると共に、その他の乱数値に従って図柄表示装置４２で表示される当り図柄変動パターンを決定する。さらに、変動態様乱数値等に従って、図柄表示装置４２の表示画面４３で表示する演出画像パターンを決定する。そして、これら図柄変動パターンおよび演出画像パターンにより、図柄表示装置４２の表示画面４３で、特別図柄Ａ，Ｂ，Ｃを当り図柄態様で確定停止するまでの一連の図柄生成行程が表示される。その後、特別図柄Ａ，Ｂ，Ｃが当り停止図柄態様で確定停止すると、上述したように、大入賞口６２を開閉作動する開閉ラウンドを開始する。一方、前記の特別図柄生成行程態様処理で、大当り乱数値がハズレ乱数値であった場合には、ハズレ図柄乱数値を有効としてハズレ停止図柄態様（ハズレ図柄の組合せ）を選択すると共に、ハズレ図柄変動パターンを決定し、さらに演出画像パターンを決定する。そして、これらに従って、図柄表示装置４２で、特別図柄Ａ，Ｂ，Ｃをハズレ図柄で確定表示する図柄生成行程を表示実行する。
【００４７】
尚、特別図柄処理以外の、メイン処理、入力検知処理、大入賞口処理等については、従来から用いられているものを適用することができるため、その詳細については省略する。
【００４８】
次に本発明の要部について説明する。
遊技機本体３の下部パネル１８には、演出ボタン７２を備えた演出ボタン装置７１が設けられている。この演出ボタン７２は、図１のように、余剰球貯留皿１１の左側に配設されて、遊技機本体３の前面側に露出していることから、遊技者により操作可能となっている。尚、遊技機本体３により、本発明にかかる機台が構成されている。
【００４９】
演出ボタン装置７１には、演出ボタン７２を囲むように枠部７３が下部パネル１８の内部に延出するように設けられており、該枠部７３内に嵌挿された演出ボタン７２が上下方向に移動可能となっている（図示せず）。この演出ボタン７２は、図示しない付勢バネにより上方へ付勢されており、常態で枠部７３の上側に僅かに突出した位置に位置決めされる。演出ボタン７２は、遊技者が押圧操作することにより、付勢バネの付勢力に抗して降動し、押圧解除することにより、付勢バネの付勢力に従って昇動して前記常態の位置に復帰する。
【００５０】
さらに、演出ボタン装置７１には、演出ボタン７２の押圧操作を検知する押圧検知センサ７４（図３参照）が配設されており、該押圧検知センサ７４が上記した演出制御基板８２に接続している。ここで、押圧検知センサ７４は、フォトセンサにより構成されており、その発光部と受光部間を、押圧操作により降動した演出ボタン７２によって遮断すると、操作信号を発生する。演出ボタン７２が遊技者により押圧操作される毎に、押圧検知センサ７４により発生した操作信号が演出制御基板８２に出力される。すなわち、一回の押圧操作毎に、操作信号が一回発生し、連続して複数回押圧操作すると、同数の操作信号が発生する。
【００５１】
本実施例にあっては、演出ボタン７２が透明性材料から形成されており、該演出ボタン７２の上面に押圧操作を促す図柄が表示されている。演出ボタン装置７１には、演出ボタン７２の上面にその下方から光を照射する発光ダイオードからなる光源７７が配設されている。この光源７７から照射された光が演出ボタン７２に当たることにより、該演出ボタン７２の上面を光輝させて、遊技者に演出ボタン７２の押圧操作を促す。この光源７７は、ＬＥＤ中継端子板を介してランプ制御基板（図示省略）に接続されており、演出制御基板８２により発光制御される。
【００５２】
上述した演出ボタン７２を備えた演出ボタン装置７１は、一般的な押圧操作用のボタン構造のものを適用することができるため、その詳細について省略する。
【００５３】
また、図１のように、遊技機本体３の下部パネル１８には、その前面に増減ボリューム９１が配設されており、該下部パネル１８の内部に該増減ボリューム９１と電気的に接続した信号量増幅装置９２（図３参照）が上記の演出ボタン装置７１に近接して配設されている。ここで、増減ボリューム９１としては、左右横方向へ移動可能とする抓み９１ａを備え、該抓み９１ａの移動に従って抵抗値を変化する可変抵抗器（図示せず）により構成されている。この抓み９１ａを最も右位置とした場合に、前記可変抵抗器は最小抵抗値を示し、最も左位置とした場合に最大抵抗値を示すように設定されている。そして、信号量増幅装置９２から一定の電圧を前記可変抵抗器に掛けた場合に、該可変抵抗器の抵抗値に従って前記電圧が変化する。尚、この増減ボリューム９１には、従前から用いられている可変抵抗器を適用することができるため、その詳細については省略する。
【００５４】
信号量増幅装置９２は、上記の演出ボタン装置７１の押圧検知センサ７４と上記の演出制御基板８２との間に介装されており、該押圧検知センサ７４から出力した操作信号が当該信号量増幅装置９２を介して演出制御基板８２へ入力する。ここで、信号量増幅装置９２は、図５のように、前記押圧検知センサ７４から操作信号を入力すると、増減ボリューム９１の電圧に従って、操作信号の信号量を増減し（増幅処理）、該信号量の操作信号を新たに発生して出力する（信号発生出力処理）。すなわち、信号量増幅装置９２は、図示しない制御基板を備えており、該制御基板を介して演出制御基板８２から供給される電力に基づいて一定の電圧を増減ボリューム９１の可変抵抗器に掛ける（ボリューム電圧処理）。さらに、この信号量増幅装置９２には、操作信号を発生する信号発生装置（図示せず）が配設されており、前記制御基板により作動制御される。そして、この制御基板は、前記可変抵抗器を介した電圧変化に基づいて、信号発生装置を作動制御して、新たな操作信号（以下、更改操作信号という）を発生する（増幅処理および信号発生出力処理）。具体的には、増減ボリューム９１の抓み９１ａが操作信号の信号量を２倍とする位置にある場合、押圧検知センサ７４から一つの操作信号を入力すると、前記信号発生装置により二つの更改操作信号を発生して出力する。この場合には、操作信号を一回入力する毎に、二つの更改操作信号を連続して出力する。このように、前記抓み９１ａを左右移動する操作により可変抵抗器の電圧を確認し（ボリューム電圧処理）、演出ボタン装置７１から入力した操作信号の信号量を増加し（増幅処理）、該信号量の更改操作信号を演出制御基板８２へ出力する（信号発生出力処理）。ここで、信号量増幅装置９２により新たに生成した更改操作信号は、実質的に押圧検知センサ７４により発生する操作信号と同じであるため、いずれの操作信号を演出制御基板８２が入力しても、同じものとして処理されるようにしている（図４参照）。
【００５５】
尚、本実施例にあっては、増減ボリューム９１の抓み９１ａの操作によって、操作信号の信号量を１倍〜３倍まで増減する処理を行う。すなわち、最小の１倍の場合には、一回の操作信号入力に伴って一回の更改操作信号を出力し、最大の３倍の場合には、一回の操作信号入力に伴って三回の更改操作信号を出力する。最小の場合は、演出ボタン７２の押圧操作回数と同数の操作信号が維持されることとなる。また、抓み９１ａの位置により１．５倍や２．５倍等に設定することもでき、例えば、１．５倍の場合には、二回の操作信号入力に伴って三回の更改操作信号を出力する。
【００５６】
さらにまた、本実施例にあっては、上記のように、信号量増幅装置９２への電力供給を演出制御基板８２を介して行うようにしている。そして、演出制御基板８２は、信号量増幅装置９２への電力供給を制御することにより、図４および図５のように、上記した操作信号の信号量を変化する処理の実行（有効）または非実行（無効）のいずれかとする。ここで、演出制御基板８２は、図４のように、後述する信号量増幅条件が成立した場合に、信号量増幅装置９２へ電力供給し、上記した操作信号の信号量を変化する処理を有効とする。一方、前記信号量増幅条件が成立しない場合には電力供給しないことから、操作信号の信号量を変化する処理は無効となる。そして、信号量増幅装置９２は、電力供給が無い場合に演出ボタン装置７１から入力した操作信号を通過するように、回路形成されているため、押圧検知センサ７４から出力した操作信号が演出制御基板８２へ入力する。
【００５７】
上記の信号量増幅条件は、その第一条件として、信号量増幅装置９２へ電力供給していない状態（補助フラグ＝０）で、一回の演出操作遊技期間で入力した操作信号の累積信号数が予め設定した下限信号数より小さい場合を設定している。さらに、第二条件として、信号量増幅装置９２へ電力供給している状態（補助フラグ＝１）で、一回の演出操作遊技期間で入力した操作信号の累積信号数が予め設定した継続信号数より小さい場合を設定している。そして、これら第一条件または第二条件が成立すると、補助フラグ＝１として、次回の演出操作遊技期間で、上記した信号量増幅装置９２への電力供給する処理を有効とする。すなわち、信号量増幅装置９２への電力供給する処理は、補助フラグ＝１かつ演出操作遊技期間に限って実行する。尚、演出操作遊技期間で第二条件が成立すると、電力供給する処理が繰り返し有効となる。また、前記の継続信号数が下限信号数より大きい値として設定している。
【００５８】
一方、上述した特別図柄処理では、図４のように、特別図柄始動記憶を消化し、図柄表示装置４２で、特別図柄Ａ，Ｂ，Ｃを変動表示し且つ所定の演出画像（図６〜８参照）を表示する制御処理を実行する。ここで、演出画像としては、上記した特別図柄生成行程態様処理により決定した演出画像パターンに従って表示実行される。この特別図柄生成行程態様処理では、主制御基板８０が、大当り特別乱数値により当り又はハズレを判定し、そのいずれかに応じて有効とする各乱数値に基づく制御指令信号を、演出制御基板８２へ出力する。そして、演出制御基板８２では、前記制御指令信号に従って、特別図柄Ａ，Ｂ，Ｃの確定停止までの当り図柄変動パターン又はハズレ図柄変動パターンと、該確定停止までの間に表示する演出画像パターンを決定する。そして、これら図柄変動パターンおよび演出画像パターンに従って、図柄表示装置４２で特別図柄Ａ，Ｂ，Ｃと演出画像とを表示実行する。
【００５９】
上記の演出画像パターンは、予め設定されている複数の演出画像データのなかから変動態様乱数値等に従って選定した演出画像データによって決める（上述した特別図柄生成行程態様処理）。ここで、演出画像データとして、上記した演出ボタン７２の操作信号に従って変化する操作演出画像データも複数設定されている。この操作演出画像データで構成される操作演出画像パターンを決定した場合には、該操作演出画像パターンに従って表示実行する参加演出画像Ｔ（図６〜８参照）により、遊技者の演出参加による遊技性が発揮され、遊技の興趣性を高め得る。尚、操作演出画像データは、当り発生する場合や、ハズレ且つリーチとなる場合に高確率で選定されるようにしている。上述した特別図柄生成行程態様処理では、操作演出画像データを選定した場合に参加演出フラグ＝１とする。そして、参加演出フラグ＝１の場合に、演出層蛙遊技期間が開始される（図４参照）。
【００６０】
ここで、操作演出画像データの操作演出画像パターンによって表示実行する参加演出画像Ｔとしては、図６のように、ロケットを発射する演出画像が表示され、ロケットの横に該ロケットへの燃料の充填状態を示す燃料ゲージからなる操作画像ｔが表示される。そして、演出ボタン７２を連続的に押圧操作することによって、図６（Ｃ）のように前記操作画像ｔの燃料ゲージが上昇し、図６（Ｄ）のように該燃料ゲージが満杯となると、参加演出画像Ｔでロケットの発射が表示される。このように操作画像ｔが演出ボタン装置７１から入力する操作信号に従って変化するように、操作画像変化処理により制御する（図４参照）。この操作画像変化処理では、演出ボタン装置７１から操作信号を入力する毎に累積した累積信号数が、予め設定した複数の変化入力回数に達する毎に、操作画像ｔを変化し、前記のような燃料ゲージの上昇する画像変化を表示する。すなわち、操作演出画像データにより操作画像ｔの変化を５段階に設定し、一段階毎に前記の変化入力回数を設定している。そして、操作信号の入力回数が変化入力回数に順次達する毎に、操作画像ｔを一段階ずつ変化表示するように処理実行している。さらに、本実施例にあっては、前記の参加演出画像Ｔに、時間経過を表示する時間ゲージが操作時間画像ｓとして表示され、該時間ゲージの開始から満了までの間に、前記操作画像ｔの操作画像変化処理を実行するようにしている。これにより、遊技者には、前記時間ゲージの満了までに、操作画像ｔを５段階変化するように、演出ボタン７２を連続して押圧操作することが求められる。尚、この時間ゲージ（操作時間画像ｓ）の開始から満了までの期間で、演出ボタン７２の押圧操作による操作信号の入力を有効としており、当該期間により本発明にかかる演出操作遊技期間を構成している。そして、一回の演出操作遊技期間を経過する毎に、累積した入力回数をリセットする。
【００６１】
例えば、図６のように、演出操作遊技期間の開始から満了までの間に、上記した５段階全ての変化入力回数を到達すると、操作画像ｔによる燃料ゲージがチャージ完了し、ロケットの発射が表示される。一方、図７のように、２段階目の変化入力回数までしか到達できない場合や、または図８のように、３段階目の変化入力回数までしか到達できない場合には、ロケットの発射が表示されない。さらに、本実施例にあっては、前記燃料チャージ完了（５段階の変化入力回数に到達）すると、希少性の高い特典を供与する処理を実行する（図示せず）。これにより、希少性の高い特典を獲得したいという遊技者の欲求を刺激できるようしている。
【００６２】
また、演出制御基板８２は、補助フラグ＝０の場合における演出操作遊技期間の満了に伴って、当該演出操作遊技期間で累積した累積信号数が上記の下限信号数より小さいか否かを判定する。ここで、累積信号数が下限信号数以上である場合には、補助フラグ＝０を維持する。一方、累積信号数が下限信号数より小さい場合には、補助フラグ＝１とし、次回の演出操作遊技期間の開始によって、上記の信号量増幅条件の第一条件が成立したとして、信号量増幅装置９２へ電力供給する制御処理を実行する。この制御処理は、演出操作遊技期間の満了まで継続して行い、該満了に伴って電力供給を停止する。さらに、補助フラグ＝１の場合の演出操作遊技期間の満了に伴って、当該演出操作遊技期間で累積した累積信号数が上記の継続信号数より小さいか否かを判定する。ここで、累積信号数が継続信号数以上である場合には、補助フラグ＝０とする。一方、累積信号数が継続信号数より小さい場合には、補助フラグ＝１を維持し、次回の演出操作遊技期間の開始によって、上記の信号量増幅条件の第二条件が成立したとして、信号量増幅装置９２へ電力供給する制御処理を実行する。尚、補助フラグ＝０の場合に開始した演出操作遊技期間では、信号量増幅装置９２への電力供給を行わない。そのため、操作信号の信号量を増減する処理が実行されず、演出ボタン７２の一回の押圧操作毎に発生する一つの操作信号を演出制御基板８２が入力する。
【００６３】
上記の信号量増幅条件の第一条件を構成する下限信号数としては、５段階に設定した上記の変化入力回数でその下から３段階目の変化入力回数として設定している。さらに、第二条件を構成する継続信号数としては、同じく下から４段階目（上から２段階目）の変化入力回数として設定している。これは、例えば、連打速さの遅い者が、演出操作遊技期間で３段階目の変化入力回数に到達できない場合に、次回の演出操作遊技期間で、信号量増幅装置９２により操作信号の信号量を増幅することができることから、連打速さを補助される。さらに、操作信号の信号量を増幅しても４段階目の変化入力回数に到達できない場合には、次の演出操作遊技期間でも操作信号の信号量を増幅できるようにし、５段階目の変化入力回数への到達に向けて遊技者の期待感が維持されやすくする。
【００６４】
また、本実施例にあっては、演出操作遊技期間中に、演出ボタン７２の押圧操作を促すように、上記した演出ボタン装置７１の光源７７を発光すると共に、図柄表示装置４２で該押圧操作を促す表示を行う（図示せず）。さらに、上記の信号量増幅条件が成立すると、増減ボリューム９１の増減操作を促す表示を、図柄表示装置４２で行う（図示せず）。これら報知によって、演出ボタン７２の操作や増減ボリューム９１の操作忘れによる遊技者の不利益を防ぐことができる。
【００６５】
尚、本実施例の構成にあって、演出制御基板８２により本発明の操作演出制御手段が構成されている。また、増減ボリューム９１により本発明の増減操作手段が構成されており、信号量増幅装置９２により本発明の信号量増幅手段が構成されている。また、押圧検知センサ７４により本発明の操作信号発生手段が構成されている。さらに、演出ボタン装置７１、演出制御基板８２、信号量増幅装置９２により、本発明のボタン遊技制御手段が構成されている。また、図柄表示装置４２で、操作演出画像データの演出画像パターンにより表示する参加演出画像Ｔ（操作画像ｔ）により、本発明にかかる操作演出態様が構成されている。
【００６６】
このような本実施例にあって、演出ボタン７２を連打する速さの遅い者が演出参加遊技（演出ボタン７２の押圧操作により参加する遊技）を行う場合の制御態様について、図４〜６に従って説明する。
図４の特別図柄処理により、特別図柄Ａ，Ｂ，Ｃが変動開始し、操作演出画像データの操作演出画像パターンによる参加演出画像Ｔを表示して演出操作遊技期間が開始すると（図６〜８参照）、遊技者が演出ボタン７２を連打する。このとき、補助フラグ＝０によって信号量増幅装置９２へ電力供給していないことから、演出ボタン７２を一回押圧操作する毎に発生した一つの操作信号が演出制御基板８２に入力する。
【００６７】
ここで、連打速さの遅い遊技者では、演出操作遊技期間の満了までに発生する累積信号数が上記の５段階全ての変化入力回数に到達しない。仮に、この場合の累積信号数が下限信号数より小さい場合には（図７（Ｃ）参照）、補助フラグ＝１とする。次に、再び特別図柄Ａ，Ｂ，Ｃが変動開始して上記と同様に演出操作期間を開始すると、補助フラグ＝１であることから、信号量増幅条件が成立し、信号量増幅装置９２へ電力供給すると共に、増減ボリューム９１の増減操作を有効とする表示を図柄表示装置４２により報知する。これに伴って、遊技者が増減ボリューム９１の抓み９１ａを３倍増加の位置へ操作したとすると、信号量増幅装置９２へ一の操作信号が入力する毎に三つの更改操作信号を演出制御基板８２へ出力する。すなわち、信号量増幅装置９２は、図５のように、押圧検知センサ７４から一の操作信号を入力すると、信号量を３倍とする増幅処理を実行して、三つの更改操作信号を発生して順次連続して出力する信号発生出力処理を行う。この更改操作信号を演出制御基板８２が入力することにより、累積信号数が加算されていく（図４参照）。このように演出操作遊技期間では、信号量増幅装置９２により発生した更改操作信号が演出制御基板８２へ入力する。その後、当該演出操作期間が満了すると、図４のように、累積信号数が継続信号数より小さいか否かを確認し、小さい場合には（図８（Ｃ）参照）補助フラグ＝１を維持する。これにより、次の演出操作期間でも信号量増幅装置９２へ電力供給して操作信号の増幅処理と信号発生出力処理とが実行される。一方、累積信号数が継続信号数以上であると、補助フラグ＝０とし、次の演出操作期間では信号量増幅装置９２へ電力供給しない。そのため、次の演出操作期間では、演出ボタン７２の一回の押圧操作毎に一の操作信号が演出制御基板８２へ入力する。
【００６８】
このように、演出操作遊技期間で発生した累積信号数が、補助フラグ＝０且つ下限信号数より小さい場合、又は補助フラグ＝１且つ継続信号数より小さい場合に、信号量増幅装置９２の作動を有効とし、演出制御基板８２に入力する操作信号の信号量を増幅するようにしている。そのため、連打の遅い遊技者にあっても、５段階全ての変化入力数に到達できる可能性が増加し、付加価値の高い特典の獲得への期待感を高め得ることから、演出参加遊技の遊技性を満喫することができる。
【００６９】
尚、連打の速い遊技者にあっては、通常、補助フラグ＝０の演出操作遊技期間で、累積信号数が下限信号数以上となるため、信号量増幅装置９２による機能を利用できない。そのため、付加価値の高い特典の獲得を目指すという演出参加遊技の遊技性を損なうことがない。すなわち、連打速さの速い遊技者および遅い遊技者のいずれもが、演出参加遊技の遊技性を満喫でき、当該遊技性が比較的長期に亘って保たれ得る。
【００７０】
上述した実施例では、信号量増幅装置９２の作動を有効とする信号量増幅条件として、一回の演出操作遊技期間での累積信号数が下限信号数または継続信号数より小さいか否かを判定するように設定した構成であるが、その他の条件設定を行うこともできる。例えば、下限信号数より小さい累積信号数となった演出操作遊技期間が所定回数連続した場合を、信号量増幅条件として設定しても良い。また、夫々に異なる複数の信号量増幅条件を設定し、これら各信号量増幅条件が成立する毎に、増幅可能となる信号量の上限を変えるようにすることもできる。例えば、上記した５段階の変化入力回数をそれぞれ信号量増幅条件として設定し、１段階目の変化入力回数より小さい場合には、増減ボリュームの上限を３倍とし、２段階目の変化入力回数より小さい場合には、上限を２．５倍とし、３段階目の変化入力回数より小さい場合には、上限を２倍とし、４段階目の変化入力回数より小さい場合には上限を１．５倍とするように設定する。
【００７１】
また、上述した実施例にあっては、信号量増加条件の成立した場合に、信号量増幅装置９２を有効として作動するようにしているが、信号量増加条件を設定せずに、演出操作遊技期間で常に信号量増幅装置を作動有効として遊技者が随時増減ボリュームを操作して信号量を増減可能とする構成としても良い。
【００７２】
上述した実施例では、増減ボリュームが、左右横方向へ抓み９１ａを移動するスライド形式としたものであるが、その他の構成を適用することも可能である。例えば、回動操作する形式のものとしても良い。また、増加ボタンと減少ボタンとを備え、各ボタンの操作によって増減操作できるようにしたものであっても良い。
【００７３】
上述した実施例では、ロケットの演出画像による一種類の参加演出画像Ｔを表示することを示しているが、複数種類の参加演出画像を表示するようにしても良い。すなわち、複数種類の操作演出画像データを設定し、遊技状況に応じて該操作演出画像データを選択して、そのデータに基づいて参加演出画像を表示する。
【００７４】
一方、上述した実施例にあっては、操作信号の入力毎に増幅処理した更改操作信号を出力する信号量増幅装置を備えた構成であるが、その他の構成として、信号量増幅装置を設けずに、演出制御基板が、演出ボタン装置から入力した操作信号を演算処理して該操作信号の信号量を増減する処理を備えた構成としても良い。かかる構成にあっては、演出制御基板が、演出ボタン装置から操作信号を入力すると、増減ボリューム９１の増減操作に従って、該操作信号の信号量を増減する演算処理を実行する。例えば、一つの操作信号を入力する毎に、二つの信号数をカウントして累積加算する。これは、２倍の操作信号の信号量に増加したと同じである。そして、この場合にあっても、信号量増幅条件の成立した場合に、前記演算処理を有効とするようにする。これにより、上述した実施例と同様の作用効果を奏し得る。
【００７５】
本発明にあっては、上述した実施例に限定されるものではなく、その他の構成についても、本発明の趣旨の範囲内で適宜変更可能である。例えば、二の操作信号を一に減少するように、操作信号の信号量を減少処理するようにした構成としても良い。
【符号の説明】
【００７６】
１  パチンコ遊技機
４２  図柄表示装置
７１  演出ボタン装置
７２  演出ボタン
７４  押圧検知センサ（操作信号発生手段）
８２  演出制御基板（操作演出制御手段）
９１  増減ボリューム（増減操作手段）
９２  信号量増幅装置（信号量増幅手段）
【図１】
0005432847.tif 000002
【図２】
0005432847.tif 000003
【図３】
0005432847.tif 000004
【図４】
0005432847.tif 000005
【図５】
0005432847.tif 000006
【図６】
0005432847.tif 000007
【図７】
0005432847.tif 000008
【図８】
0005432847.tif 000009